(57)【要約】【課題】財布やバッグ等に入れた状態にある各種磁気記録カードの情報・データを非接触スキミング方式の犯罪から守ることができる財布、バッグ等の収納具を提供する。【解決手段】収納具本体４の少なくとも外被部材２には、この外被部材２を形成する表地２ａと裏地２ｂとの間に、磁気遮蔽シート５が介装されている。【選択図】図４
0003112127.tif 000002
【実用新案登録請求の範囲】
【請求項１】
収納具本体の少なくとも外被部材には、この外被部材を形成する表地と裏地との間に、磁気遮蔽シートが介装されてなることを特徴とする財布、バッグ等収納具。
【請求項２】
前記磁気遮蔽シートは、鉄・ニッケル合金からなる薄板材料、もしくはメッシュ材料によって形成されてなることを特徴とする請求項１に記載の財布、バッグ等収納具。
【請求項３】
前記磁気遮蔽シートは、ニッケル、鉄、珪素鋼、ステンレスあるいはアルモファス合金からなる薄板材料、メッシュ材料、もしくは繊維材料によって形成されてなることを特徴とする請求項１に記載の財布、バッグ等収納具。
【考案の詳細な説明】
【技術分野】
【０００１】
本考案は、非接触スキミング方式の犯罪からカード情報を保護するようにした財布、バッグ、鞄等の収納具に関する。
【背景技術】
【０００２】
最近、財布やバッグ等に入れてあるキャッシュカード、クレジットカード等の各種磁気記録カードの情報・データが、財布やバッグ等の外部から特殊な読取装置によって不正に読み取られる（盗み取られる）と云う、いわゆる非接触スキミング方式の犯罪が横行し、重大且つ深刻な社会問題となっている。このようなスキミングの横行は、財布やバッグ等が皮革材、プラスチック材、布材等の非磁性材料で形成されていて、財布やバッグ等に収納されている磁気記録カードの磁気が外部へ出易く、また外部からの磁気が侵入し易い状態にあることによるものである。
【考案の開示】
【考案が解決しようとする課題】
【０００３】
本考案は、財布やバッグ等に入れた状態にある各種磁気記録カードの情報・データを、上記のような非接触スキミング方式の犯罪から守ることができるようにした財布、バッグ等収納具を提供することを目的とする。
【課題を解決するための手段】
【０００４】
上記課題を解決するための手段を、後述する実施形態の参照符号を付して説明すると、請求項１に係る考案の財布、バッグ等収納具は、収納具本体４の少なくとも外被部材２には、この外被部材２を形成する表地２ａと裏地２ｂとの間に、磁気遮蔽シート５が介装されてなることを特徴とする。
【０００５】
請求項２は、請求項１に記載の財布、バッグ等収納具において、前記磁気遮蔽シート５は、鉄・ニッケル合金からなる薄板材料、もしくはメッシュ材料によって形成されてなることを特徴とする。
【０００６】
請求項３は、請求項１に記載の財布、バッグ等収納具において、前記磁気遮蔽シートは、ニッケル、鉄、珪素鋼、ステンレスあるいはアルモファス合金からなる薄板材料、メッシュ材料、もしくは繊維材料によって形成されてなることを特徴とする。
【考案の効果】
【０００７】
上記解決手段による考案の効果を、後述する実施形態の参照符号を付して説明すると、請求項１に係る考案の収納具によれば、収納具本体４の少なくとも外被部材２には、外被部材２を形成する表地２ａと裏地２ｂとの間に磁気遮蔽シート５が介装されているから、収納具本体４の内部にキャッシュカードやクレジットカード等の各種磁気記録カード１０が収納されているときに、それらのカード１０は、外被部材２の表地２ａと裏地２ｂとの間に介装された磁気遮蔽シート５により遮蔽されるから、収納具本体４の外から特殊な読取装置によってスキミングされようとしても、外部からの磁気は磁気遮蔽シート５に吸収されて内部侵入を阻止され、逆に磁界の発生源を磁気遮蔽シート５で閉じ込めるため、磁気は外へは出なくなり、従ってそれらの情報・データが保護されて、安全性が確保されることになる。
【０００８】
請求項２に係る考案のように、磁気遮蔽シート５が鉄・ニッケル合金からなる薄板材料、もしくはメッシュ材料によって形成されている場合には、一般に「パーマロイ」と呼ばれている、この鉄・ニッケル合金の透磁性が非常に高く、従って磁気遮蔽性能（シールド性能）が極めて良好で、磁気吸収性が非常に高いために、スキミングに対するカード情報の保護がより確実なものとなる。
【０００９】
磁気遮蔽シート５は、請求項３に記載のように、ニッケル、鉄、珪素鋼、ステンレスあるいはアルモファス合金からなる薄板材料、メッシュ材料、もしくは繊維材料によって形成されたものであっても、十分に効果を発揮することができる。
【考案を実施するための最良の形態】
【００１０】
以下に本考案の好適な実施形態について図面を参照しながら説明すると、図１の(a) は本考案に係る二つ折りタイプの財布１（収納具）を開いた状態で示す斜視図、(b) は同財布１を二つ折りにした状態で示す斜視図であり、図２は図１の(a) のＸ−Ｘ線拡大断面図、図３は図１の(b) のＹ−Ｙ線拡大断面図である。この財布１は、図１の(a) ，(b) に示すように、夫々二つ折り可能な外被部材２と内被部材３とからなる財布本体４（収納具本体）を有し、この財布本体４の外被部材２と内被部材３との間に札入れ部Ｓが形成され、内被部材３には折り曲げ部３ｏを挟んでその左右両側に夫々複数のカード挿入用のポケットＰが設けられている。尚、２ｏは外被部材２の折り曲げ部を示す。
【００１１】
外被部材２は、図２から分かるように、例えば厚手の皮革材からなる表地２ａと、薄手の皮革材からなる裏地２ｂとによって形成されると共に、表地２ａと裏地２ｂとの間には磁気遮蔽シート５が介装されている。内被部材３は、例えば、外被部材２の表地２ａよりは薄いが、その裏地２ｂよりも厚い皮革材からなるもので、この内被部材３の上半部側に切り込み１６が例えば上下二段に入れられ、各切り込み１６の裏側にはポケット形成用のシート材１７が取り付けられている。
【００１２】
磁気遮蔽シート５は、一般には「パーマロイ」という商品名で呼ばれている、強磁性材料の鉄・ニッケル合金からなる、厚さが例えば０．０１ｍｍ〜０．０５ｍｍ程度の薄板材料によって形成されたものである。磁気遮蔽シート５としては、このような薄板材料に限らず、メッシュ材料に形成されたものでもよいし、またニッケル、鉄、珪素鋼、ステンレスあるいはアルモファス合金からなる薄板材料、メッシュ材料、もしくは繊維材料によって形成されたものでもよい。
【００１３】
このような磁気遮蔽シート５を内装した外被部材２を形成するには、表地２ａ及び裏地２ｂを同じ大きさで横長矩形状に形成し、磁気遮蔽シート５は、表地２ａと裏地２ｂとの縫い代分だけ縦横の幅が狭くなるように矩形状に形成し、しかして表地２ａと裏地２ｂとの間に磁気遮蔽シート５を挟み込んだ状態で表地２ａと裏地２ｂとを重ね合わせて、表地２ａと裏地２ｂの縫い代部分を縫着すればよい。
【００１４】
また、内被部材３については、例えば図２に示すように、下段側の切り込み１６の裏側にポケット形成用シート材１７を配して、図２に示すように接着又は縫着によって取り付けた後に、上段側の切り込み１６の裏側に、ポケット形成用シート材１７を図示のように接着又は縫着によって取り付け、図１に示すように内被部材３の折り曲げ部３ｏを挟んでその左右両側に夫々上下２つずつカード挿入用ポケットＰを形成する。
【００１５】
上記のような構成よりなる財布１によると、財布１のカード挿入用ポケットＰにキャッシュカードやクレジットカード等の各種磁気記録カード１０を挿し込んで、財布１を図１の(b) 及び図３に示すような二つ折り状態にしておけば、この二つ折り状態においては、それらのカード１０は、外被部材２の表地２ａと裏地２ｂとの間に介装された磁気遮蔽シート５により被包されて、この磁気遮蔽シート５により磁気遮蔽（磁気シールド）された状態となり、しかして外部からの磁気は磁気遮蔽シート５に吸収されて内部侵入を阻止され、逆に磁界の発生源を磁気遮蔽シート５で閉じ込めるため、磁気は外へは出なくなる。従って、この財布１の外側から、特殊な読取装置によってスキミングされようとしても、各カード１０の磁気情報や磁気データが外部に出るおそれがなく、それらの情報・データが安全に保護されることになる。
【００１６】
この場合、磁気遮蔽シート５は、一般に「パーマロイ」と呼ばれている強磁性材の鉄・ニッケル合金材料によって形成されているが、このパーマロイは、透磁性が非常に高く、従って磁気遮蔽性能（シールド性能）が極めて良好で磁気吸収性が非常に高いことから、財布１内部に挿し込まれたカード１０の磁気情報や磁気データを確実且つ有効に保護することができる。
【００１７】
図４の(a) は本考案に係る他の実施形態による手提げバッグ１１を示す外観斜視図であり、(b) は(a) のＶ−Ｖ線断面図、(c) は(a) のＷ−Ｗ線断面図である。この手提げバッグ１１は、左右両側の外被部材２，２と、前後の襠部材６，６と底部材７とからなるバッグ本体４（収納具本体）を有し、各外被部材２の内側には、内側収納部９を形成するためのシート部材８が取り付けられている。尚、図４の(a) において、１２は口金、１３はダブルトップを示す。
【００１８】
各外被部材２は、図４の(b) に概略示すように、例えば厚手の皮革材からなる表地２ａと、薄手の皮革材からなる裏地２ｂとによって形成されると共に、表地２ａと裏地２ｂとの間には磁気遮蔽シート５が介装されている。また、各襠部材６は、柔軟性のある比較的厚手の皮革材からなる表地６ａと、同じく柔軟性を有する薄手の皮革材からなる裏地６ｂとによって形成されると共に、表地６ａと裏地６ｂとの間には磁気遮蔽シート５が介装されている。
【００１９】
そして、外被部材２及び襠部材６内に介装された夫々磁気遮蔽シート５は、前述した財布１の実施形態と同様に、「パーマロイ」と呼ばれる強磁性材料の鉄・ニッケル合金からなる、厚さが０．０１ｍｍ〜０．０５ｍｍ程度の薄板材料により形成されたものである。この磁気遮蔽シート５も、薄板材料に限らず、メッシュ材料によって形成されたものでもよいし、またニッケル、鉄、珪素鋼、ステンレスあるいはアルモファス合金からなる薄板材料、メッシュ材料、もしくは繊維材料によって形成されたものでもよい。
【００２０】
上記のように構成される手提げバッグ１１によれば、バッグ本体４における左右の外被部材２，２及び前後の襠部材６，６には、表地２ａ，６ａと裏地２ｂ，６ｂとの間に夫々磁気遮蔽シート５が介装されているから、バッグ本体４の内部、例えば内側収納部９に、図１〜図３に示したようなキャッシュカードやクレジットカード等の各種磁気記録カード１０の入った財布１を収納しておいても、それらのカード１０は、外被部材２の表地２ａと裏地２ｂとの間に介装された磁気遮蔽シート５により遮蔽されるから、この手提げバッグ１１の外から特殊な読取装置によってスキミングされようとしても、各カード１０の磁気情報や磁気データが外部に出るおそれがなく、それらの情報・データが保護されることになる。
【００２１】
尚、図４に例示した手提げバッグ１１では、バッグ本体４（収納具本体）の各外被部材２及び襠部材６の夫々表地２ａ，６ａと裏地２ｂ，６ｂとの間に夫々磁気遮蔽シート５を介装しているが、襠部材６の幅が比較的狭く、この襠部材６側からスキミングされるおそれが殆どない場合は、外被部材２のみに磁気遮蔽シート５を介装してもよい。あるいは、更に安全を期して、バッグ本体４を構成する外被部材２、襠部材６及び底部材７の全てに磁気遮蔽シート５を介装してもよい。
【００２２】
以上、本考案に係る収納具の実施形態を財布１及び手提げバッグ１１について説明したが、上記例示した財布１及び手提げバッグ１１は、財布及びバッグの夫々一例であって、本考案の収納具は、他の種々の形態の財布やバッグ、更には各種鞄、更にまたこれら財布、バッグ、鞄以外の種々形態の収納具に適用されるものであり、しかしてそれらの収納具に収納されているキャッシュカードやクレジットカード等各種磁気記録カードの情報・データを非接触スキミング方式の犯罪から確実に保護することができる。
【００２３】
また以上の実施形態では、磁気遮蔽シート５として、一般に「パーマロイ」と呼ばれている強磁性材料の鉄・ニッケル合金で形成されたものを使用した例について説明したが、本考案の収納具に使用する磁気遮蔽シート５は、このようなパーマロイに限るものではなく、ニッケル、鉄、珪素鋼、ステンレスあるいはアルモファス合金からなる薄板材料、メッシュ材料、もしくは繊維材料によって形成されたものでもよく、これらの材料からなるものによっても十分に効果を発揮することができる。
【００２４】
但し、磁気遮蔽シート５として、上述した実施形態のような「パーマロイ」と呼ばれる強磁性材料の鉄・ニッケル合金を使用すれば、このパーマロイは、透磁性が非常に高く、従って磁気遮蔽性能（シールド性能）が極めて良好で、磁気吸収性が非常に高いために、スキミングに対するカード情報の保護がより一層確実なものとなる。
【図面の簡単な説明】
【００２５】
【図１】(a) は本考案に係る二つ折りタイプの財布（収納具）を開いた状態で示す斜視図、(b) は同財布を二つ折りにした状態で示す斜視図である。
【図２】図１の(a) のＸ−Ｘ線拡大断面図である。
【図３】図１の(b) のＹ−Ｙ線拡大断面図である。
【図４】(a) は本考案に係る他の実施形態による手提げバッグ（収納具）を示す外観斜視図であり、(b) は(a) のＶ−Ｖ線断面図であり、(c) は(a) のＷ−Ｗ線断面図である。
【符号の説明】
【００２６】
１            財布（収納具）
２            外被部材
２ａ          外被部材の表地
２ｂ          外被部材の裏地
３            内被部材
４            財布本体又はバッグ本体（収納具本体）
５            磁気遮蔽シート
６            襠部材
６ａ          襠部材の表地
６ｂ          襠部材の裏地
７            底部材
１１          手提げバッグ（収納具）
【図１】
0003112127.tif 000003
【図２】
0003112127.tif 000004
【図３】
0003112127.tif 000005
【図４】
0003112127.tif 000006